(57)【要約】      （修正有）【課題】他のマスコット又は金属製品に着脱可能で組み合わせて楽しめる遊び心を持つマスコットを提供する。【解決手段】マスコットは扁平状で、内部に第１磁石１４を備える。磁石保持部２１で保持される第１磁石の磁力により、第１磁石と他のマスコット内の金属部材又は第２磁石とが引き寄せ合ってマスコットと他のマスコットとがくっつく。第１磁石の両極は、扁平状のマスコットの表面及び裏面方向を向いている。また、第１磁石から扁平状の表面に沿った延伸方向に離間して、磁石につく金属部材を保持する金属保持部２２又は第１磁石と極の向きが逆方向の第３磁石が配置されている。【選択図】図３
0003208139.tif 000002
【実用新案登録請求の範囲】
【請求項１】
扁平状のマスコットであって、
該マスコットの内部に第１磁石を備え、
該第１磁石の磁力により、該第１磁石と他のマスコット内の金属部材又は第２磁石とが引き寄せ合って該他のマスコットとくっつくマスコット。
【請求項２】
前記第１磁石の両極は、扁平状のマスコットの表面及び裏面方向を向き、
前記第１磁石から扁平状の表面に沿った延伸方向に離間して、磁石につく金属部材又は該第１磁石と極の向きが逆方向の第３磁石が配置されている請求項１に記載のマスコット。
【請求項３】
前記第１磁石は、マスコットの中心軸からずれて配置され、
前記金属部材又は前記第３磁石は、前記第１磁石よりもさらに外側に配置されている請求項２に記載のマスコット。
【請求項４】
前記金属部材又は前記第３磁石は、細長状であり、前記マスコットのエッジに沿って湾曲して配置されている請求項２又は３に記載のマスコット。
【請求項５】
前記金属部材は、ボールチェーンである請求項２乃至４のいずれかに記載のマスコット。
【請求項６】
前記マスコットは、
該マスコットの表面となる第１層と、
前記第１磁石を保持する第２層と
該マスコットの裏面となる第３層と
をさらに備え、第１層及び第３層で第２層を挟む請求項１乃至５のいずれかに記載のマスコット。
【請求項７】
前記第２層は、
前記第１磁石を保持する第１保持部と、
前記金属部材又は前記第３磁石を保持する第２保持部と
を有し、
前記第１保持部及び前記第２保持部の少なくとも一方の大きさは、保持する第１磁石又は金属部材若しくは第３磁石よりも大きく、
該磁石又は金属部材が、他のマスコットの磁石又は金属部材とくっつくときに磁力により動いて、前記第１又は第２保持部を構成する部材にぶつかって音を発する請求項２乃至６のいずれかに記載のマスコット。
【請求項８】
前記マスコットは、キーホルダーである請求項１乃至７のいずれかに記載のマスコット。
【請求項９】
ストラップを取り付けるストラップ取付部
をさらに備え、
前記ストラップ取付部は、マスコットの中心軸に対して、前記第１磁石側に配置されている請求項８に記載のマスコット。
【請求項１０】
前記マスコットは、人若しくは動物の形状、又は、人若しくは動物の図柄を含む形状で構成されている請求項１乃至９のいずれかに記載のマスコット。
【請求項１１】
前記第１磁石は、描かれた体の一部に対応する位置に配置されている請求項１０に記載のマスコット。
【請求項１２】
前記第１磁石は、描かれた体の臀部に配置されている請求項１０又は１１に記載のマスコット。
【請求項１３】
前記マスコットは扁平状であり、表面と裏面はともに、人又は動物を同じ側からみた図柄が描かれている請求項１０乃至１２のいずれかに記載のマスコット。
【請求項１４】
前記マスコットは扁平状であり、表面と裏面の一方は、人又は動物を一方の側から見た図柄が描かれ、他方は人又は動物を対向する側から見た図柄が描かれている請求項１０乃至１３のいずれかに記載のマスコット。
【請求項１５】
前記第１層、第２層及び第３層はそれぞれアクリル製である請求項６に記載のマスコット。
【請求項１６】
前記第２層は不透明に着色されている請求項６又は１５に記載のマスコット。
【請求項１７】
前記第１層及び第３層は透明であり、
前記第１層の、第２層側に図柄が印刷され、
前記第３層の、第２層側に図柄が印刷されている請求項１５又は１６に記載のマスコット。
【請求項１８】
扁平状の複数のマスコットを備えるマスコット群であって、
各マスコットは、
該マスコットの内部に、極が他のマスコットと同じ方向を向いた磁石と、
前記磁石に対して前記磁石の極の方向と直交する横方向に配置された又は扁平状の表面に沿った延伸方向に離間して配置された金属部材と
を備え、
自身の磁石と他のマスコットの磁石の磁力により、自身のマスコットの第１面と他のマスコットの第２面がくっつき、
自身の磁石の磁力により他のマスコットの金属部材と引き合うことで、自身のマスコットの第１面と他のマスコットの第１面同士がくっつくマスコット群。
【考案の詳細な説明】
【技術分野】
【０００１】
本考案は、マスコット及びマスコット群に関する。
【背景技術】
【０００２】
鍵につけるキーホルダーや、携帯する小物などにつけるストラップなどが知られている。また、キャラクターなどの図柄を表面に描いた扁平状のラバーストラップが知られている（例えば、特許文献１参照）。
【先行技術文献】
【特許文献】
【０００３】
【特許文献１】実用新案登録第３１８９６５５号公報
【考案の概要】
【考案が解決しようとする課題】
【０００４】
キーホルダー、ストラップ、その他の着脱可能な小物（以下、これらをまとめてマスコットという）はひとつに限らず、複数まとまって所定のコンセプトを示す場合がある。例えば、アニメの各キャラクターがそれぞれマスコットになる場合がある。このような場合、ユーザがお気に入りの複数のマスコット同士をくっつけるなど、遊び心を持たせる構成は少なかった。
【０００５】
また、マスコットは顔や体など所定の図柄が描かれているものがあり、マスコット同士をくっつけると図柄が隠れてしまうことが想定される。
【０００６】
本考案は以上の点に鑑み、他のマスコット又は金属製品に着脱可能なマスコット及びマスコット群を提供することを目的のひとつとする。また、本考案は、扁平状の他のマスコットの両表面のいずれの面にもくっつくことができるマスコット及びマスコット群を提供することを目的のひとつとする。
【課題を解決するための手段】
【０００７】
本考案の一態様によると、扁平状のマスコットであって、該マスコットの内部に第１磁石を備え、該第１磁石の磁力により、該第１磁石と他のマスコット内の金属部材又は第２磁石とが引き寄せ合って該他のマスコットとくっつくマスコットが提供される。
また、第１磁石の両極は、扁平状のマスコットの表面及び裏面方向を向き、第１磁石から扁平状の表面に沿った延伸方向に離間して、磁石につく金属部材又は該第１磁石と極の向きが逆方向の第３磁石が配置されている。
【０００８】
本考案の一態様によると、扁平状の複数のマスコットを備えるマスコット群であって、各マスコットは、（ａ）該マスコットの内部に、極が他のマスコットと同じ方向を向いた磁石と、（ｂ）磁石に対して磁石の極の方向と直交する横方向に配置された又は扁平状の表面に沿った延伸方向に離間して配置された金属部材とを備え、（ｃ）自身の磁石と他のマスコットの磁石の磁力により、自身のマスコットの第１面と他のマスコットの第２面がくっつき、（ｄ）自身の磁石の磁力により他のマスコットの金属部材と引き合うことで、自身のマスコットの第１面と他のマスコットの第１面同士がくっつく。
【考案の効果】
【０００９】
本考案によると、他のマスコット又は金属製品に着脱可能なマスコットを提供することができる。また、本考案によると、扁平状の他のマスコットの両表面のいずれの面にもくっつくことができるマスコットを提供することができる。
【図面の簡単な説明】
【００１０】
【図１】マスコットの表面及び裏面を示す斜視図である。
【図２】マスコットの分解図である。
【図３】マスコットの第２層の構成図である。
【図４】マスコットの透過側面図である。
【図５】キーチェーンを付けた状態のマスコットの斜視図である。
【図６】複数のマスコットが磁力でくっついた状態の説明図である。
【考案を実施するための形態】
【００１１】
以下、本考案の実施の形態を図面を参照して説明する。図１は、マスコットの表面及び裏面を示す斜視図である。
【００１２】
マスコット１０は、例えば扁平状である。図１はわずかに斜め右方向から見た図であり、扁平状の厚みも表している。マスコット１０は、内部に磁石（第１磁石）を備えている。磁石の磁力により、他のマスコットの金属部材又は他のマスコットの磁石（第２磁石）と引き合ってマスコット１０と他のマスコットがくっつく。また、マスコット１０は、他のマスコットに限らず、冷蔵庫やスチール製のテーブル及びキャビネットなどの金属製品とくっつくことができる。マスコット１０は例えば人の形状をしており、顔や手などの体のパーツが印刷等により描かれている。図１（ａ）は、マスコット１０の表面と裏面ともに、人が同じ側から見た図柄（この例では正面を向いた図柄）が描かれた例である。図１（ｂ）は、マスコット１０の表面と裏面の一方に、人を一方の側から見た図柄（この例では正面を向いた図柄）が描かれ、他方に人を対向する側から見た図柄（この例では後方を向いた図柄）が描かれた例を示す。図１（ａ）のように同じ側から見た図柄を用いる場合、例えば、一方の面の図柄を左右反転した図柄を他方の面に用いてもよい。
【００１３】
なお、マスコット１０の形状及び図柄は人に限らず動物でもよいし、他の形状及び図柄でもよい。また、マスコット１０の形状は、人又は動物以外を含んでも良く、換言すると、人又は動物と他の図柄とを組み合わせた形状で構成されてもよい。なお、図１では、人を例にして、正面と背面を描いているが、正面と背面の組み合わせ以外でもよい。例えば、動物の場合は、対向する両側面を描いても良い。
【００１４】
図２は、マスコット１０の分解図である。図３は、マスコット１０の第２層の構成図である。図４は、マスコット１０の透過側面図である。
【００１５】
マスコット１０は、例えば、第１層１１と、第２層１２と、第３層１３と、磁石１４と、ボールチェーン１５とを有する。
【００１６】
第１層１１、第２層１２及び第３層１３は、例えばアクリル等の硬質な材料で構成される。ゴムなどの軟質な材料で構成することもできるが、硬質な材料で構成すると、マスコット１０を他のマスコットや金属製品に近づけたときに磁力により内部の磁石１４又はボールチェーン１５が動いていずれかの層にぶつかるため、カチッという音がして磁力でくっついたことがわかりやすい。また、アクリルを用いるとゴムなどに比べて磁石１４が外部へ届きやすい。
【００１７】
第１層１１は、例えば透明なアクリルで構成され、マスコット１０の表面となる。例えば、第１層１１の第２層１２側の面Ｐ１１に、人などの図柄が印刷される。第３層１３は、例えば透明なアクリルで構成され、マスコット１０の裏面となる。例えば、第３層１３の第２層１２側の面Ｐ１３に図柄が印刷される。第２層１２は、第１層１１及び第３層１３と異なり、例えば白色などで不透明に着色されている。
【００１８】
第２層１２が着色されていることで、第１層１１〜第３層１３を重ねると磁石１４とボールチェーン１５が外部から見えなくなる。また、アクリルに図柄を印刷する場合、印刷方法によっては全面に印刷できず、印刷されてないフチが残る。本実施の形態では、第１層１１及び第３層１３と、第２層１２とを密着させてマスコット１０を構成した際に、印刷面と着色された第２層が接するため、マスコット１０の図柄に一体感がでる。したがって、第１層１１と第３層１３に印刷される図柄にはフチが残っても、着色された第２層１２が背景を構成するように見える。また、印刷面がマスコット１０の表面に露出せず、印刷面を保護することもできる。
【００１９】
なお、第１層１１及び第３層１３に直接印刷する以外にも、図柄が印刷されたシールを接着してもよいし、図柄が印刷されたシートを挟んでも良い。
【００２０】
第２層１２は、磁石１４を保持する磁石保持部２１と、ボールチェーン１５を保持する金属保持部２２を有する。磁石保持部２１及び金属保持部２２は、例えば貫通穴であり、第２層１２が第１層１１と第３層１３で挟まれることで、それぞれ磁石１４及びボールチェーン１５を内部に保持することができる。なお、磁石保持部２１及び金属保持部２２は有底の穴でもよい。少なくとも第１層１１側又は第３層１３側が開口していると磁石及びボールチェーンを開口から入れて第１層１１又は第３層１３で閉じればよいため組み立てが容易である。
【００２１】
磁石保持部２１は、第２層１２が第１層１１及び第３層１３と重ねられたときに、第１層１１及び第３層１３に描かれた体の臀部にくるように配置されている。また、図１に示すように、一例として、体全体が真正面を向いてなく臀部を横方向に突き出して臀部がマスコット１０のエッジに来るように描かれている。これにより、マスコット１０内の磁石１４が、同様の構成を有する他のマスコットとくっつくと、臀部同士がくっついて、いわゆる「おしくらまんじゅう」をしているように見える。なお、臀部以外にも、例えば背中や脚などマスコット１０に描かれた体の一部に収まるように配置してもよい。磁石保持部２１を、図３に示すようにマスコットの中心軸３１からずれてマスコット１０のエッジ近くに配置すると、他のマスコットとくっついたときにマスコット同士で重なる面が小さくなり、第１層１１及び第３層１３の図柄が隠れにくくなる。
【００２２】
ここで、マスコットの中心軸３１とは、第１層１１及び第３層１３の図柄に対して以下のいずれかに定めることができる。
（ａ）マスコットを身長方向に二分する線（図３参照）
（ｂ）体部分を身長方向に二分する線
ここで、二分する線とは面積を二分する線又は重さを二分する線である。
【００２３】
金属保持部２２は、磁石保持部２１に対して扁平状のマスコット１０の表面に沿った方向（マスコットの延伸方向）にずれて配置される。また、金属保持部２２は、磁石保持部２１に対して、例えば磁石保持部２１が保持する磁石１４の磁極の向きと直交する方向にずれて配置されてもよい。このように配置すると、金属保持部２２で保持されるボールチェーン１５は、磁石１４の磁界の影響を受けにくい。例えば、他のマスコットの磁石が近づいた場合、磁極の向きによってはマスコット内の各磁石で反発しあうが、磁石１４の隣りに配置されたボールチェーン１５と他のマスコットの磁石が引き合うことができる。金属保持部２２は、細長状の溝であり、好ましくは磁石保持部２１よりも外側に配置される。より好ましくは、金属保持部２２は、マスコット１０のエッジ近傍でエッジ（図２ではマスコット１０の臀部）に沿って湾曲して配置されている。このように金属保持部２２を細くすることで磁石保持部２１もより外側に配置できる。
【００２４】
磁石保持部２１と金属保持部２２は別々の穴で構成され、換言すると磁石保持部２１と金属保持部２２は壁で隔たれていて、磁石保持部２１と金属保持部２２はくっつかないように構成されている。
【００２５】
上述の磁石保持部２１と金属保持部２２の位置関係は、磁石保持部２１に保持される磁石１４と、金属保持部２２に保持されるボールチェーン１５との位置関係と同様になる。
【００２６】
磁石１４は、例えばネオジム磁石を用いることができる。磁石の両極は、扁平状のマスコット１０の表面及び裏面方向を向く。なお、磁極の向きは、マスコット１０の表面及び裏面に対して直交するもの以外にも、マスコット１０の表面及び裏面に対して斜めを向いていても良い。
【００２７】
ボールチェーン１５は、磁石につく金属部材の例である。金属部材は、ボールチェーン１５以外に、曲げ加工が可能な細長状の金属片でもよい。また、金属保持部２２に埋設される金属の粒子（例えば砂鉄）でもよい。金属片が他のマスコットの磁石とくっつくためには、所定の体積が必要であり、その反面、厚さが厚すぎると曲げ加工しにくく厚さが薄すぎると折れやすい。ボールチェーンを用いると、他のマスコットの磁石とくっつきやすく、金属保持部２２の形状に合わせて曲げるのも容易である。また、ボールチェーン１５が動いて各層と衝突した際に発する音もはっきりとした音がでる。ボールチェーン１５の代わりに、球状などの比較的体積の大きい体積部分と、比較的体積が小さく曲げ加工が可能な線状部分とを有する適宜の金属部材を用いても良い。また、ボールチェーン１５の代わりに、例えば細長状又は適宜の形状の磁石を用いても良い。磁石を用いる場合、磁極の向きは磁石保持部２１に保持される磁石の磁極と反対向きにする。このような構成により、同様の構成を有する他のマスコットを近づけると、自身の磁石１４と他のマスコットの金属部材又は金属保持部２２で保持された磁石との磁力により、各マスコットの第１層同士をくっつけることができる。
【００２８】
ボールチェーン１５等の金属部材は、細長状以外の形状でも良いが、細長状にするとボールチェーン１５も磁石１４もマスコット１０のエッジ近くに配置できる。このように配置すると、マスコット１０同士を磁力でくっつけたときに図柄が隠れにくい。
【００２９】
磁石１４は、磁石保持部２１内に配置された場合に隙間を有する程の大きさであり、例えば、磁力により磁石保持部２１内で動くことができる。例えば、磁極方向の隙間は磁石の厚さよりも小さく構成すれば、磁石は回転して磁極の向きが反転しないため、磁石は磁極の向きを維持したまま動くことができる。
【００３０】
ボールチェーン１５は、金属保持部２２内に配置された場合に隙間を有する程の大きさであり、例えば延伸した状態を維持したまま磁力により金属保持部２２内で動くことができる。
【００３１】
なお、第１層１１と第３層１３は薄く（例えば第２層１２に対して薄く）構成することができる。上述のようにアクリルを用いると他の素材に比べて薄くかつ強度を保って構成できる。自マスコットのボールチェーン１５と他のマスコットの磁石とが引き合ってマスコット同士がくっつくときに、第１層１１と第３層１３が薄く構成されていると、他のマスコットの磁石は自マスコットの磁石に対して横方向にずれた位置にくるため、大きな反発力が生じにくい。
【００３２】
図５は、キーチェーンを付けた状態のマスコットの斜視図である。図６は、複数のマスコットが磁力でくっついた状態の説明図である。
【００３３】
マスコット１０は、キーホルダーとして使用できる。例えば、マスコット１０は、取付部１６を有することができ、取付部１６にはキーチェーン１７が取り付けられる。キーチェーン１７としてはボールチェーンを用いることができるが、紐でもよいし他の適宜の素材のストラップを用いることができる。
【００３４】
取付部１６の位置は、マスコット１０の中心軸３１上ではなく、中心軸３１からずれて、中心軸３１よりも臀部側、すなわち磁石１４及びボールチェーン１５が配置されている側の上部に配置されることができる。例えば、人の頭部に頭頂部からずれて配置される。このように取付部１６を配置すると、複数のマスコットが磁力でくっついた状態でキーチェーンを持った場合、図６に示すように各マスコットの図柄が隠れる部分が少なく済む。
【００３５】
なお、マスコット１０は、キーチェーンを外してマグネットプレートとして使用することもできる。マスコット１０をキーホルダーの用途ではなくマグネットプレートとして製造、使用する場合、取付部１６及びキーチェーン１７は省略してもよい。
【００３６】
図６に示す例は、図１（ａ）に示すようにマスコット１０の両面とも、人が正面を向いた図柄が描かれている例である。この場合、左右のマスコット１０を入れ替えても磁力により臀部同士をくっつけることができる。すなわち、マスコット１０の立ち位置、顔の向き、重ねたときに上にくるマスコットをユーザの好みにより選択してマスコット１０同士をくっつけることができる。図１（ｂ）に示すようにマスコット１０の一方の面には、人が正面を向いた図柄が描かれ、他方の面には人の背面が描かれている場合、臀部同士をくっつけるとまさにおしくらまんじゅうをしているように見える。
【００３７】
以上、本実施の形態のマスコットについて説明した。本考案は、上述のマスコット１０と同様の構成のマスコットを複数備えたマスコット群として構成することもできる。このようなマスコット群では、第１マスコットの磁石と第２マスコットの磁石の磁力により、第１マスコットの裏面と第２マスコットの表面がくっつくことができる。同様に、第１マスコットの表面と第２マスコットの裏面がくっつくことができる。また、第１マスコットの磁石の磁力により第２マスコットの金属部材と引き合うことで、第１マスコットの表面と第２マスコットの表面同士がくっつくことができる。同様に、裏面同士もくっつくことができる。このように、第１マスコット及び第２マスコットのいずれの面同士でもくっつくことができる。
【００３８】
マスコット群のうちの各マスコットは、すべて人など同じ種類のものでもよいし、人と他の形状（例えば、乗物、小物）など異なる種類でもよい。
【００３９】
本実施の形態のマスコット１０は、磁石や金属部材など他のマスコットと引き合うための構成を有しつつ小型化できる。また、小型化して構成できるため、携帯性を維持できる。さらに、部品コスト及び加工コストを抑えつつ複数のマスコットを組み合わせて楽しむ遊戯性も高めることができる。
【００４０】
上述の実施の形態では、マスコットが備える磁石は１つとして説明したが、複数個所に磁石を備えても良い。また、ボールチェーンなどの金属部材も複数個所に備えても良い。
【産業上の利用可能性】
【００４１】
本考案は、例えばキーホルダーやマグネット付きプレートに利用可能である。
【符号の説明】
【００４２】
１０  マスコット
１１  第１層
１２  第２層
１３  第３層
１４  磁石
１５  ボールチェーン
１６  取付部
１７  キーチェーン
【図１】
0003208139.tif 000003
【図２】
0003208139.tif 000004
【図３】
0003208139.tif 000005
【図４】
0003208139.tif 000006
【図５】
0003208139.tif 000007
【図６】
0003208139.tif 000008
【手続補正書】
【提出日】平成28年10月5日(2016.10.5)
【手続補正１】
【補正対象書類名】実用新案登録請求の範囲
【補正対象項目名】全文
【補正方法】変更
【補正の内容】
【実用新案登録請求の範囲】
【請求項１】
扁平状のマスコットであって、
該マスコットの内部に第１磁石を備え、
該第１磁石の磁力により、該第１磁石と他のマスコット内の第２金属部材又は第２磁石とが引き寄せ合って該他のマスコットとくっつくマスコット。
【請求項２】
前記第１磁石の両極は、扁平状のマスコットの表面及び裏面方向を向き、
前記第１磁石から扁平状の表面に沿った延伸方向に離間して、磁石につく第１金属部材又は該第１磁石と極の向きが逆方向の第３磁石が配置されている請求項１に記載のマスコット。
【請求項３】
前記第１磁石は、マスコットの中心軸からずれて配置され、
前記第１金属部材又は前記第３磁石は、前記第１磁石よりもさらに外側に配置されている請求項２に記載のマスコット。
【請求項４】
前記第１金属部材又は前記第３磁石は、細長状であり、前記マスコットのエッジに沿って湾曲して配置されている請求項２又は３に記載のマスコット。
【請求項５】
前記第１金属部材は、ボールチェーンである請求項２乃至４のいずれかに記載のマスコット。
【請求項６】
前記マスコットは、
該マスコットの表面となる第１層と、
前記第１磁石を保持する第２層と
該マスコットの裏面となる第３層と
をさらに備え、第１層及び第３層で第２層を挟む請求項１乃至５のいずれかに記載のマスコット。
【請求項７】
前記第１磁石又は前記第１金属部材若しくは前記第３磁石を保持する保持部の大きさは、保持する前記第１磁石又は前記第１金属部材若しくは前記第３磁石よりも大きく、
前記第１磁石又は前記第１金属部材若しくは前記第３磁石が、他のマスコットの前記第２磁石又は前記第２金属部材とくっつくときに磁力により動いて、前記保持部を構成する部材にぶつかって音を発する請求項２乃至５のいずれかに記載のマスコット。
【請求項８】
前記マスコットは、
該マスコットの表面となる第１層と、
前記第１磁石を保持する第２層と
該マスコットの裏面となる第３層と
をさらに備え、第１層及び第３層で第２層を挟み、
前記第２層は、
前記第１磁石を保持する第１保持部と、
前記第１金属部材又は前記第３磁石を保持する第２保持部と
を有し、
前記第１保持部及び前記第２保持部の少なくとも一方の大きさは、保持する前記第１磁石又は前記第１金属部材若しくは前記第３磁石よりも大きく、
前記第１磁石又は前記第１金属部材若しくは前記第３磁石が、他のマスコットの前記第２磁石又は前記第２金属部材とくっつくときに磁力により動いて、前記第１又は第２保持部を構成する部材にぶつかって音を発する請求項２乃至５のいずれかに記載のマスコット。
【請求項９】
前記マスコットは、キーホルダーである請求項１乃至８のいずれかに記載のマスコット。
【請求項１０】
ストラップを取り付けるストラップ取付部
をさらに備え、
前記ストラップ取付部は、マスコットの中心軸に対して、前記第１磁石側に配置されている請求項９に記載のマスコット。
【請求項１１】
前記マスコットは、人若しくは動物の形状、又は、人若しくは動物の図柄を含む形状で構成されている請求項１乃至１０のいずれかに記載のマスコット。
【請求項１２】
前記第１磁石は、描かれた体の一部に対応する位置に配置されている請求項１１に記載のマスコット。
【請求項１３】
前記第１磁石は、描かれた体の臀部に配置されている請求項１１又は１２に記載のマスコット。
【請求項１４】
前記マスコットは扁平状であり、表面と裏面はともに、人又は動物を同じ側からみた図柄が描かれている請求項１１乃至１３のいずれかに記載のマスコット。
【請求項１５】
前記マスコットは扁平状であり、表面と裏面の一方は、人又は動物を一方の側から見た図柄が描かれ、他方は人又は動物を対向する側から見た図柄が描かれている請求項１０乃至１３のいずれかに記載のマスコット。
【請求項１６】
前記第１層、第２層及び第３層はそれぞれアクリル製である請求項６又は８に記載のマスコット。
【請求項１７】
前記第２層は不透明に着色されている請求項６、８又は１６に記載のマスコット。
【請求項１８】
前記第１層及び第３層は透明であり、
前記第１層の、第２層側に図柄が印刷され、
前記第３層の、第２層側に図柄が印刷されている請求項１６又は１７に記載のマスコット。
【請求項１９】
扁平状の複数のマスコットを備えるマスコット群であって、
各マスコットは、
該マスコットの内部に、極が他のマスコットと同じ方向を向いた磁石と、
前記磁石に対して前記磁石の極の方向と直交する横方向に配置された又は扁平状の表面に沿った延伸方向に離間して配置された金属部材と
を備え、
自身の磁石と他のマスコットの磁石の磁力により、自身のマスコットの第１面と他のマスコットの第２面がくっつき、
自身の磁石の磁力により他のマスコットの金属部材と引き合うことで、自身のマスコットの第１面と他のマスコットの第１面同士がくっつくマスコット群。